(57)【要約】      （修正有）【課題】コンクリート構造物の面取りを行う際に、塩ビ製の中空耳付面木をミニタッカーを使用して取り付けるが、塩ビ製の中空耳付面木が割れないように取り付ける方法を提供する。【解決手段】繊維質の粘着テープ４の持つ強い粘着力を利用して、繊維質の粘着テープ４を塩ビ製の中空面木本体１の耳部３に貼ることにより耳部３の厚さを変えずに耳部３の強度を上昇させて、タッカー針７の耳部３への打ち込みの衝撃にも耳部３が破損しないようにした。【選択図】図２
2014136960.tif 000002
【特許請求の範囲】
【請求項１】
型枠を組み、その内部の天端となるべき位置に天端墨を打ち、その墨に沿って中空の塩ビ製の耳付面木の耳部の表面または裏面あるいはその両面に繊維質のテープが貼られた複合式耳付面木を置き一方の手で押さえ、もう一方の手に持ったタッカーでＴ字状のタッカー針をその耳部に打ち込むことにより複合式耳付面木を型枠に取り付ける工法。
【請求項２】
請求項１の工法で型枠に取り付けられた複合式面木の一端を手で持ち、タッカー針の打ち込み方向と逆の方向へと持ち上げることにより、タッカー針を型枠上に残して複合式面木だけを型枠から先に取り外し、型枠上に残ったタッカー針を釘抜きなどで取り去る工法。
【請求項３】
型枠を組み、その内部の天端となるべき位置に天端墨を打ち、その墨に沿って中空の塩ビ製の耳付面木の耳部の表面または裏面あるいはその両面に繊維質のテープが貼られた複合式耳付面木を置き一方の手で押さえ、もう一方の手に持ったタッカーでコの字型のタッカー針をその耳部に打ち込むことにより複合式面木を型枠に取り付ける工法。
【請求項４】
請求項３で型枠に取り付けられた複合式耳付面木の一端を手で持ち、タッカー針の打ち込み方向と逆の方向に持ち上げることにより、コの字型のタッカー針をその耳部に付けたままで型枠から複合式耳付面木を取り外し、耳部上に残ったコの字型のタッカー針をプライヤなどで取り去る工法。
【請求項５】
一方の型枠をたて、面取りをすべき位置に墨を打ち、その墨に沿って塩ビで作られた中空の耳付面木の表面または裏面あるいはその両面に繊維質のテープが貼られた複合式面木を置き一方の手で持ち押さえ、もう一方の手に持ったタッカーでタッカー針をその耳部に打ち込むことにより取り付け、もう一方の型枠をその面木を挟み込むようにたててコーナー部の面取りをする工法。
【請求項６】
請求項５の工法で型枠に取り付けられた複合式耳付面木の一端を手で持ち、タッカー針の打ち込み方向と逆の方向に持ち上げることにより型枠から複合式面木を取り去り、残ったタッカー針を釘抜きやプライヤーで取り外す工法。
【請求項７】
塩ビで作られた中空の耳付面木の耳部の表面または裏面あるいはその両端に繊維質のテープが貼り付けられている複合式耳付面木。
【発明の詳細な説明】
【技術分野】
【０００１】  本発明では道路の路肩や建物の基礎、高速道路の側壁などの天端の面取りおよびビルやマンションなどの建物のコーナー部の面取や柱や梁などのコーナー部の面取りに使用する面木に新たに耳部を設けた形状の耳付面木の耳部の表面または裏面あるいはその両端に繊維質のテープを貼り付けることによりタッカーによるタッカー針の耳部への打ち込みを可能にした。
【背景技術】
【０００２】  特願２０１１−２２５３３３
【発明が解決しようとする課題】
【０００３】  耳付面木の型枠への取り付け及び取り外しはその作業のしやすさおよび速さを考えるとタッカーを使用しての取り付けが最良と思われるが、耳付面木は塩ビで製作されているので気温によりその硬度が変化するため、夏場の３〜４ヵ月以外はタッカー針を耳部に打ち込むとその衝撃で耳部に破れまたはひび割れができて繰り返しの使用ができない。そこで当考案者は特願２０１１−２２５３３３の工法を考えた。その工法は塩ビの耳付面木の耳部の表面に薄い木の板を貼り付ける方法と耳部自体を塩ビではなく木製の薄い板にする工法であるが、コーナー部の面取りを耳付面木を使ってする場合はコーナーを形成する型枠と型枠との間に耳付面木の耳部を挟み込み取り付けるので、その耳部の厚さはできる限り薄いものが要求されるのでこの工法はコーナー部の面取りには使用できなかった。また、ミニタッカーを使用しての複合式耳付面木の型枠への取り付けを可能にするために耳部自体を木製にする方法であるが、木材は乾燥の度合いによってそりや曲がりが発生するので一度使用すると生コンクリートが耳部に付着し、その結果そりや曲がりが発生して繰り返しの使用ができないことが判明した。
【課題を解決するための手段】
【０００４】  そこで、当考案者は耳部の厚さを変えずに問題を解決する方法として、粘着力の強い布の粘着テープのような繊維質のテープを耳部に貼り付け、その強い粘着力によってタッカー針の打ち込みにより破れまたはひび割れを防ぐことを考えた。
【発明の詳細な説明】
【０００５】  ところで、貼り付けるテープであるが、その接着面に十分な糊が塗布されていなければならない、なぜなら接着面に十分な糊が含まれていると、その粘着力は強く塩ビの耳部にしっかりと接着しテープと塩ビとが完全に一体化しタッカー針の打ち込みで塩ビの耳部が破れようとするのを食い止めることができる。そこで十分な糊が付着しているテープはと考えると、布の粘着テープに代表される繊維質のテープすなわち糊の塗布面がセロテープのように平面でなく凹凸であることが必要だとわかった。
なぜならば布テープに代表される網目のあるものは網目の間に十分な糊を付着させることができるからである。したがって繊維質のテープとは布テープ、紙テープに代表される自然のものと、化学製品でも網目の入ったセロテープなどその糊の塗布面に人工的に凹凸が施されているものをいう。さてその繊維質のテープの耳部への貼り付け方であるが、製造原価との関係により塩ビに粘り気のある気温の高い夏場には価格の安い紙のテープを耳部の表面又は裏面のどちらか一方に貼ればよく、冬場の寒い時期には塩ビが硬化してもろくなるので布テープのような少し厚みのあるもので耳部の表面および裏面を包み込むように貼るのがよい。また、型枠への取り付け方であるが型枠と型枠との間隔が広い場合は大型のタッカーを使用しＴ字型のタッカー針をその耳部に打ち込み取り付け、取り外しは打ち込み方向と逆の方向に持ち上げ複合式耳付面木を取り外し型枠上に残ったＴ字型のタッカー針は釘抜きで抜けばよい。そして型枠と型枠との間隔が狭い場合はミニタッカーと呼ばれる小型のタッカーを使用してその耳部にコの字型のタッカー針を打ち込めばよい。その取り外しは複合式耳付面木の一端を手で持ち打ち込み方向と逆の方向に持ち上げると耳部にコの字型のタッカー針が付いたまま外れる。
耳部に付いているコの字型のタッカー針はプライヤーなどで取り外せばよい。
【発明の効果】
【０００６】  耳付面木の耳部に繊維質のテープを貼り付けることによりその厚みを変えずにタッカー針の打ち込みによる打撃にも破損することなく耐えることができるのでコーナー部の面取りを耳付面木で行うことができるようになった。また耳部に薄い木製の板を貼り付ける工法では、その耳部の厚さが増すのでミニタッカーの針足の長さの関係でミニタッカーによる取り付けはできなかったが耳部に繊維質のテープを貼り付ける工法では耳部の厚みが変わらないのでミニタッカーにより天端部への耳付面木の取り付けも可能になりその経済性および利便性を大いに高めることができるようになった。
【発明を実施するための最良の状態】
【０００７】
【実施例】
【０００８】  型枠を組み、その内部の天端となるべき位置に天端墨を打ち、その墨に沿って塩ビで作られた中空の耳付面木の耳部の表面および裏面が布の粘着テープですっぽりとサンドイッチ状に包み込まれている複合式耳付面木を置きタッカーを使用してＴ字型のタッカー針をその耳部に打ち込むことにより型枠に取り付け、生コンをその取り付けられた複合式面木の本体の上面まで流し込み、その上面にコテを乗せ滑らせることにより天端を均し、数日の間生コンの固化を待ち、できあがったコンクリート構造物と型枠の間にバールを差し込み前後に動かして隙間をあけ複合式耳付面木の一端を型枠より取り外しながら型枠をばらすと天端部が面取りされたコンクリート構造物ができ上がる。型枠上に残ったＴ字型のタッカー針を釘抜きで抜き取る。
【実施例２】
【０００９】  型枠を組み、その内部の天端となるべき位置に天端墨を打ちその墨に沿って塩ビで作られた中空の耳付面木の表面および裏面が布の粘着テープですっぽりとサンドイッチ状に包み込まれている複合式耳付面木を置きミニタッカーを使用してコの字型のタッカー針の一方の針足を耳部に、もう一方の針足を直接に型枠に打ち込み複合式耳付面木を型枠に取り付け生コンをその取り付けられた複合式面木の本体の上面まで流し込み、その上面にコテを乗せ滑らせることにより天端を均し数日の間生コンの固化を待ち、できあがったコンクリート構造物と型枠との間にバールを差し込み前後に動かして隙間をあけ複合式耳付面木の一端を持ち、タッカー針の打ち込み方向と逆の方向に持ち上げることにより複合式耳付面木を型枠より取り外しながら型枠をばらすと天端部が面取りされたコンクリート構造物ができあがる。耳部上に残ったタッカー針をプライヤーで取り外す。
【実施例３】
【００１０】  複合式耳付面木でのコーナー部の面取り方法は、一方の型枠をたて、面取りをすべき位置に墨を打ち、その墨に沿って塩ビで作られた中空の耳付面木の表面および裏面が布の粘着テープですっぽりとサンドイッチ状に包み込まれている複合式耳付面木を置きタッカーを使用してその耳部にタッカー針を打ち込むことにより複合式耳付面木を型枠に取り付け、もう一方の型枠をその面木を挟み込むようにたててコーナーを形成し、生コンを所定の高さまで流し込み数日の間生コンの固化を待ち、できあがったコンクリート構造物と型枠の間にバールを差し込み前後に動かして隙間を作り複合式耳付面木の一端を持ち、タッカー針の打ち込み方向と逆の方向に持ち上げることにより複合式耳付面木を型枠より取り外しながら型枠をばらすとコーナー部が面取りされたコンクリート構造物ができる。型枠上あるいは耳部に残ったタッカー針を釘抜きおよびプライヤーで取り外す。
【図面の簡単な説明】
【図１】  ａ  複合式耳付面木をタッカーでＴ字型のタッカー針を用いて型枠に取り付けようとしてい様子  ｂ  Ｔ字型のタッカー針を表す
【図２】  ａ  Ｔ字型のタッカー針で複合式耳付面木を型枠に取り付けた状況を表す  ｂ  複合式耳付面木を型枠から取り外した状態
【図３】  ａ  コの字型のタッカー針を用いて複合式耳付面木を型枠に取り付けようとしている様子を表す  ｂ  コの字型のタッカー針を表す
【図４】  ａ  コの文型のタッカー針で複合式耳付面木を型枠に取り付けた状況を表す  ｂ  複合式耳付面木を型枠から取り外した時の状態を表す
【図５】  ａ  コーナー部への複合式耳付面木の取り付けを表す  ｂ  コーナー部への複合式耳付面木の取り付けを表す
【図６】  ａ  コーナー部への複合式耳付面木の取り付けを表し、一方の型枠をて、それに複合式耳付面木を取り付けたところ  ｂ  もう一方の型枠を用いてコーナーを作っている様子を表す  ｃ  複合式耳付面木をコーナーに取り付けた様子を表す
【符号の説明】１      複合式耳付面木の本体
２      本体の上面
３      耳部
４      繊維質のテープ
５      型枠
６      タッカー
７      Ｔ字型のタッカー針
８      コの字型のタッカー針
【図１】
2014136960.tif 000003
【図２】
2014136960.tif 000004
【図３】
2014136960.tif 000005
【図４】
2014136960.tif 000006
【図５】
2014136960.tif 000007
【図６】
2014136960.tif 000008
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
型枠を組み、その内部の天端となるべき位置に天端墨を打ち、その墨に沿って中空の塩ビ製の耳付面木の耳部の表面または裏面あるいはその両面に繊維質の粘着テープが貼られた複合式耳付面木を置き一方の手で押さえ、もう一方の手に持ったタッカーでＴ字状のタッカー針をその耳部に打ち込むことにより複合式耳付面木を型枠に取り付ける工法。
【請求項２】
請求項１の工法で型枠に取り付けられた複合式面木の一端を手で持ち、タッカー針の打ち込み方向と逆の方向へと持ち上げることにより、タッカー針を型枠上に残して複合式面木だけを型枠から先に取り外し、型枠上に残ったタッカー針を釘抜きなどで取り去る工法。
【請求項３】
型枠を組み、その内部の天端となるべき位置に天端墨を打ち、その墨に沿って中空の塩ビ製の耳付面木の耳部の表面または裏面あるいはその両面に繊維質の粘着テープが貼られた複合式耳付面木を置き一方の手で押さえ、もう一方の手に持ったタッカーでコの字型のタッカー針をその耳部に打ち込むことにより複合式面木を型枠に取り付ける工法。
【請求項４】
請求項３で型枠に取り付けられた複合式耳付面木の一端を手で持ち、タッカー針の打ち込み方向と逆の方向に持ち上げることにより、コの字型のタッカー針をその耳部に付けたままで型枠から複合式耳付面木を取り外し、耳部上に残ったコの字型のタッカー針をプライヤーなどで取り去る工法。
【請求項５】
一方の型枠をたて、面取りをすべき位置に墨を打ち、その墨に沿って塩ビで作られた中空の耳付面木の表面または裏面あるいはその両面に繊維質の粘着テープが貼られた複合式面木を置き一方の手で持ち押さえ、もう一方の手に持ったタッカーでタッカー針をその耳部に打ち込むことにより取り付け、もう一方の型枠をその面木を挟み込むようにたててコーナー部の面取りをする工法。
【請求項６】
請求項５の工法で型枠に取り付けられた複合式耳付面木の一端を手で持ち、タッカー針の打ち込み方向と逆の方向に持ち上げることにより型枠から複合式面木を取り去り、残ったタッカー針を釘抜きやプライヤーで取り外す工法。
【請求項７】
塩ビで作られた中空の耳付面木の表面または裏面あるいはその両面に繊維質の粘着テープが貼り付けられている複合式耳付面木。
【請求項８】
塩ビで作られた中空の耳付面木の耳部に布の粘着テープで代表される繊維質の粘着テープでその耳部をサンドイッチ状に包み込むように貼り付けることにより耳部に強度と粘り気を与え、タッカーを使用しての耳付面木の型枠への取り付けのときにタッカー針の耳部への打ち込みの衝撃により起こる耳部の破損を防ぐとともに耳付面木を型枠から外すときの耳部の破損をも防ぐ工法。
【請求項９】
塩ビで作られた中空の耳付面木の耳部が布の粘着テープで代表される繊維質の粘着テープでサンドイッチ状に包み込むように貼り付けられている複合式耳付面木。